(57)【要約】【課題】現在位置からの位置変更を勘案し、現在位置での充電と、位置変更を行い充電効率の良い位置での充電との比較材料を提示可能な車両用充電支援装置、車両用充電支援方法及びコンピュータプログラムを提供する。【解決手段】ナビゲーション装置１は、現在位置で目標充電量Ｅｔまで充電する為に必要な第１充電期間Ｔａを算出する（Ｓ６）。更に、ナビゲーション装置１は、現在位置から最適位置への移動に要する消費電力量Ｅｃ及び位置変更期間Ｔｃを算出する。又、ナビゲーション装置１は、移動完了時残量Ｅｆから目標充電量Ｅｔまでの充電に要する最適充電期間Ｔｏと、位置変更期間Ｔｃを合算した第２充電期間Ｔｂを算出する（Ｓ１１）。ナビゲーション装置１は、第１充電期間Ｔａと、第２充電期間Ｔｂの比較結果に基づいて、充電位置案内画面８０を表示する（Ｓ１３、Ｓ１４）。【選択図】図２
2011217461.tif 000002
【特許請求の範囲】
【請求項１】
バッテリの充電に用いられる受電ユニットを有する自車両の現在位置を取得する現在位置取得手段と、
前記受電ユニットに対して非接触給電を行う給電ユニットを検出する給電ユニット検出手段と、
前記現在位置における前記給電ユニットによるバッテリの充電状態を特定する充電状態特定手段と、
前記バッテリの残量を取得するバッテリ残量取得手段と、
前記充電状態特定手段により特定された充電状態に基づいて、前記バッテリ残量から所定の目標充電量までの充電に要する第１充電期間を算出する第１充電期間算出手段と、
前記給電ユニットによるバッテリの充電状態が最良となる最適位置を特定する最適位置特定手段と、
前記現在位置から前記最適位置への移動に要する位置変更期間を推定する位置変更期間推定手段と、
前記現在位置から前記最適位置への移動に伴って消費される消費電力量を推定する消費電力推定手段と、
前記最適位置における充電状態に基づいて、前記バッテリ残量から前記消費電力量を減算した状態から、前記目標充電量までの充電に要する最適充電期間を算出する最適充電期間算出手段と、
前記位置変更期間と前記最適充電期間とを合算した第２充電期間を算出する第２充電期間算出手段と、
前記第１充電期間と前記第２充電期間とに基づいて、前記バッテリの充電に関する案内を行う案内手段と、
を有することを特徴とする車両用充電支援装置。
【請求項２】
請求項１記載の車両用充電支援装置であって、
前記案内手段は、前記第１充電期間と、前記第２充電期間とを通知する
ことを特徴とする車両用充電支援装置。
【請求項３】
請求項１又は請求項２記載の車両用充電支援装置であって、
前記案内手段は、
前記第１充電期間と、前記第２充電期間とを比較した結果に基づいて、前記現在位置におけるバッテリの充電と、前記現在位置から位置変更を行い、前記最適位置でのバッテリの充電の何れか一方を推奨する案内を行う
ことを特徴とする車両用充電支援装置。
【請求項４】
請求項１乃至請求項３の何れかに記載の車両用充電支援装置であって、
前記充電状態特定手段は、
前記受電ユニットの位置と、前記給電ユニットの位置に基づいて、前記現在位置における前記給電ユニットによるバッテリの充電状態を特定し、
前記最適位置特定手段は、
前記受電ユニットの位置と、前記給電ユニットの位置に基づいて、前記最適位置を特定する
ことを特徴とする車両用充電支援装置。
【請求項５】
請求項１乃至請求項４の何れかに記載の車両用充電支援装置であって、
前記バッテリの充電状態は、前記給電ユニットによるバッテリの充電効率である
ことを特徴とする車両用充電支援装置。
【請求項６】
バッテリの充電に用いられる受電ユニットを有する自車両の現在位置を取得する現在位置取得ステップと、
前記受電ユニットに対して非接触給電を行う給電ユニットを検出する給電ユニット検出ステップと、
前記現在位置における前記給電ユニットによるバッテリの充電状態を特定する充電状態特定ステップと、
前記バッテリの残量を取得するバッテリ残量取得ステップと、
前記充電状態特定ステップにより特定された充電状態に基づいて、前記バッテリ残量から所定の目標充電量までの充電に要する第１充電期間を算出する第１充電期間算出ステップと、
前記給電ユニットによるバッテリの充電状態が最良となる最適位置を特定する最適位置特定ステップと、
前記現在位置から前記最適位置への移動に要する位置変更期間を推定する位置変更期間推定ステップと、
前記現在位置から前記最適位置への移動に伴って消費される消費電力量を推定する消費電力推定ステップと、
前記最適位置における充電状態に基づいて、前記バッテリ残量から前記消費電力量を減算した状態から、前記目標充電量までの充電に要する最適充電期間を算出する最適充電期間算出ステップと、
前記位置変更期間と前記最適充電期間とを合算した第２充電期間を算出する第２充電期間算出ステップと、
前記第１充電期間と前記第２充電期間とに基づいて、前記バッテリの充電に関する案内を行う案内ステップと、
を有することを特徴とする車両用充電支援方法。
【請求項７】
コンピュータに搭載され、
バッテリの充電に用いられる受電ユニットを有する自車両の現在位置を取得する現在位置取得機能と、
前記受電ユニットに対して非接触給電を行う給電ユニットを検出する給電ユニット検出機能と、
前記現在位置における前記給電ユニットによるバッテリの充電状態を特定する充電状態特定機能と、
前記バッテリの残量を取得するバッテリ残量取得機能と、
前記充電状態特定機能により特定された充電状態に基づいて、前記バッテリ残量から所定の目標充電量までの充電に要する第１充電期間を算出する第１充電期間算出機能と、
前記給電ユニットによるバッテリの充電状態が最良となる最適位置を特定する最適位置特定機能と、
前記現在位置から前記最適位置への移動に要する位置変更期間を推定する位置変更期間推定機能と、
前記現在位置から前記最適位置への移動に伴って消費される消費電力量を推定する消費電力推定機能と、
前記最適位置における充電状態に基づいて、前記バッテリ残量から前記消費電力量を減算した状態から、前記目標充電量までの充電に要する最適充電期間を算出する最適充電期間算出機能と、
前記位置変更期間と前記最適充電期間とを合算した第２充電期間を算出する第２充電期間算出機能と、
前記第１充電期間と前記第２充電期間とに基づいて、前記バッテリの充電に関する案内を行う案内機能と、
を実行させることを特徴とするコンピュータプログラム。
【発明の詳細な説明】
【技術分野】
【０００１】
本発明は、給電ユニットと受電ユニットを用いた車両のバッテリの充電を支援する車両用充電支援装置、車両用充電支援方法及びコンピュータプログラムに関する。
【背景技術】
【０００２】
近年、バッテリから供給される電力に基づいて駆動されるモータを駆動源とする電気自動車や、モータとエンジンを併用して駆動源とするハイブリッド車両等の電動車両が多く存在する。
【０００３】
又、このような車両のバッテリの充電方式の一つとして、車両に配設された受電ユニットに対して、車両外（例えば、駐車場の路面）に配設された給電ユニットにより非接触給電を行うことで、当該バッテリの充電を行う方式が知られている。この方式の場合、バッテリの充電を効率良く行うためには、受電ユニットと給電ユニットが適切な位置関係にあることが重要である。
【０００４】
この点に鑑み、特許文献１記載の発明がなされている。当該特許文献１記載の受電案内装置は、給電装置が配設された駐車領域への駐車を完了すると、現在位置におけるバッテリの充電効率を報知する。これにより、当該充電案内装置は、現在の駐車位置がバッテリの充電にどの程度適しているかの判断基準を提供し得る。更に、当該受電案内装置は、現在位置よりも充電効率の良い駐車位置を報知する。これにより、当該受電案内装置は、より充電効率の良い位置でのバッテリの充電を行い得る。
【先行技術文献】
【特許文献】
【０００５】
【特許文献１】特願２００９−２９０３８９号
【発明の概要】
【発明が解決しようとする課題】
【０００６】
ここで、上述のように駆動源としてモータを用いる車両の場合、特許文献１のように充電効率の良い位置が報知されたとしても、バッテリの電力が、充電効率の良い位置へ移動する際に消費されてしまう。そうすると、車両の位置変更時に消費した電力分もバッテリの充電をする必要が生じるため、車両の位置変更を行うことで充電効率を改善したとしても、位置変更を行うことなく現在位置における充電を継続した場合よりも、所望の残量までの充電に、より長期間を要する事態が生じてしまう。
【０００７】
本発明は、上記問題点に鑑みてなされたものであり、現在位置から充電効率の良い位置への位置変更に伴う消費電力を勘案し、現在位置での充電と、位置変更を行い充電効率の良い位置での充電との比較材料を提示可能な車両用充電支援装置、車両用充電支援方法及びコンピュータプログラムを提供する。
【課題を解決するための手段】
【０００８】
本発明の請求項１に係る車両用充電支援装置（１）は、バッテリの充電に用いられる受電ユニットを有する自車両の現在位置を取得する現在位置取得手段（１３）と、前記受電ユニットに対して非接触給電を行う給電ユニットを検出する給電ユニット検出手段（１３）と、前記現在位置における前記給電ユニットによるバッテリの充電状態を特定する充電状態特定手段（１３）と、前記バッテリの残量を取得するバッテリ残量取得手段（１３）と、前記充電状態特定手段により特定された充電状態に基づいて、前記バッテリ残量から所定の目標充電量までの充電に要する第１充電期間を算出する第１充電期間算出手段（１３）と、前記給電ユニットによるバッテリの充電状態が最良となる最適位置を特定する最適位置特定手段（１３）と、前記現在位置から前記最適位置への移動に要する位置変更期間を推定する位置変更期間推定手段（１３）と、前記現在位置から前記最適位置への移動に伴って消費される消費電力量を推定する消費電力推定手段（１３）と、前記最適位置における充電状態に基づいて、前記バッテリ残量から前記消費電力量を減算した状態から、前記目標充電量までの充電に要する最適充電期間を算出する最適充電期間算出手段（１３）と、前記位置変更期間と前記最適充電期間とを合算した第２充電期間を算出する第２充電期間算出手段（１３）と、前記第１充電期間と前記第２充電期間とに基づいて、前記バッテリの充電に関する案内を行う案内手段（１３）と、を有することを特徴とする。
【０００９】
そして、請求項２記載の車両用充電支援装置（１）は、請求項１記載の車両用充電支援装置であって、前記案内手段（１３）は、前記第１充電期間と、前記第２充電期間とを通知することを特徴とする。
【００１０】
又、請求項３記載の車両用充電支援装置（１）は、請求項１又は請求項２記載の車両用充電支援装置であって、前記案内手段（１３）は、前記第１充電期間と、前記第２充電期間とを比較した結果に基づいて、前記現在位置におけるバッテリの充電と、前記現在位置から位置変更を行い、前記最適位置でのバッテリの充電の何れか一方を推奨する案内を行うことを特徴とする。
【００１１】
又、請求項４記載の車両用充電支援装置（１）は、請求項１乃至請求項３の何れかに記載の車両用充電支援装置であって、前記充電状態特定手段（１３）は、前記受電ユニットの位置と、前記給電ユニットの位置に基づいて、前記現在位置における前記給電ユニットによるバッテリの充電状態を特定し、前記最適位置特定手段（１３）は、前記受電ユニットの位置と、前記給電ユニットの位置に基づいて、前記最適位置を特定することを特徴とする。
【００１２】
そして、請求項５記載の車両用充電支援装置（１）は、請求項１乃至請求項４の何れかに記載の車両用充電支援装置であって、前記バッテリの充電状態は、前記給電ユニットによるバッテリの充電効率であることを特徴とする。
【００１３】
又、請求項６記載の車両用充電支援方法は、バッテリの充電に用いられる受電ユニットを有する自車両の現在位置を取得する現在位置取得ステップと、前記受電ユニットに対して非接触給電を行う給電ユニットを検出する給電ユニット検出ステップと、前記現在位置における前記給電ユニットによるバッテリの充電状態を特定する充電状態特定ステップと、前記バッテリの残量を取得するバッテリ残量取得ステップと、前記充電状態特定ステップにより特定された充電状態に基づいて、前記バッテリ残量から所定の目標充電量までの充電に要する第１充電期間を算出する第１充電期間算出ステップと、前記給電ユニットによるバッテリの充電状態が最良となる最適位置を特定する最適位置特定ステップと、前記現在位置から前記最適位置への移動に要する位置変更期間を推定する位置変更期間推定ステップと、前記現在位置から前記最適位置への移動に伴って消費される消費電力量を推定する消費電力推定ステップと、前記最適位置における充電状態に基づいて、前記バッテリ残量から前記消費電力量を減算した状態から、前記目標充電量までの充電に要する最適充電期間を算出する最適充電期間算出ステップと、前記位置変更期間と前記最適充電期間とを合算した第２充電期間を算出する第２充電期間算出ステップと、前記第１充電期間と前記第２充電期間とに基づいて、前記バッテリの充電に関する案内を行う案内ステップと、を有することを特徴とする。
【００１４】
更に、請求項７記載のコンピュータプログラムは、コンピュータに搭載され、バッテリの充電に用いられる受電ユニットを有する自車両の現在位置を取得する現在位置取得機能と、前記受電ユニットに対して非接触給電を行う給電ユニットを検出する給電ユニット検出機能と、前記現在位置における前記給電ユニットによるバッテリの充電状態を特定する充電状態特定機能と、前記バッテリの残量を取得するバッテリ残量取得機能と、前記充電状態特定機能により特定された充電状態に基づいて、前記バッテリ残量から所定の目標充電量までの充電に要する第１充電期間を算出する第１充電期間算出機能と、前記給電ユニットによるバッテリの充電状態が最良となる最適位置を特定する最適位置特定機能と、前記現在位置から前記最適位置への移動に要する位置変更期間を推定する位置変更期間推定機能と、前記現在位置から前記最適位置への移動に伴って消費される消費電力量を推定する消費電力推定機能と、前記最適位置における充電状態に基づいて、前記バッテリ残量から前記消費電力量を減算した状態から、前記目標充電量までの充電に要する最適充電期間を算出する最適充電期間算出機能と、前記位置変更期間と前記最適充電期間とを合算した第２充電期間を算出する第２充電期間算出機能と、前記第１充電期間と前記第２充電期間とに基づいて、前記バッテリの充電に関する案内を行う案内機能と、を実行させることを特徴とする。
【発明の効果】
【００１５】
請求項１記載の車両用充電支援装置は、最適位置への移動に要する位置変更期間と、当該最適位置で目標充電量までのバッテリの充電に要する最適充電期間に基づいて、第２充電期間を算出する。そして、当該車両用充電支援装置は、現在位置で目標充電量までのバッテリの充電に要する第１充電期間と当該第２充電期間とに基づいて、バッテリの充電に関する案内を行う。従って、当該車両用充電支援装置は、位置変更に伴う消費電力も考慮した状態で、現在位置での充電と、最適位置への移動を伴った充電を比較する材料を、ユーザに提供し得る。
【００１６】
請求項２記載の車両用充電支援装置は、第１充電期間と、第２充電期間とを通知するので、位置変更に伴う消費電力も考慮した状態で、現在位置での充電と、最適位置への移動を伴った充電を比較する具体的な材料を、ユーザに提供し得る。従って、ユーザは、目標充電量までに要する期間の長短に基づいて、現在位置での充電と、最適位置への移動を伴った充電を比較し、位置変更の要否を判断することができる。
【００１７】
請求項３記載の車両用充電支援装置は、前記第１充電期間と、前記第２充電期間とを比較した結果に基づいて、前記現在位置におけるバッテリの充電と、前記現在位置から位置変更を行い、前記最適位置でのバッテリの充電の何れか一方を推奨する。従って、当該車両用充電支援装置によればユーザは、現在位置におけるバッテリの充電と、前記現在位置から位置変更を行い、前記最適位置でのバッテリの充電の何れか一方を、より容易に選択し得る。
【００１８】
請求項４記載の車両用充電支援装置は、受電ユニットの位置と、給電ユニットの位置に基づいて、現在位置におけるバッテリの充電状態と、最適位置におけるバッテリの充電状態を特定する。従って、当該車両用充電支援装置は、より平易な方法で現在位置におけるバッテリの充電状態と、最適位置におけるバッテリの充電状態を特定し得る。
【００１９】
請求項５記載の車両用充電支援装置において、前記バッテリの充電状態は、前記給電ユニットによるバッテリの充電効率である。従って、当該車両用充電支援装置は、位置変更に伴う消費電力も考慮した状態で、現在位置での充電と、最適位置への移動を伴った充電を比較する為のより明確な材料を、ユーザに提供し得る。
【００２０】
請求項６記載の車両用充電支援方法では、第２充電期間が、最適位置への移動に要する位置変更期間と、当該最適位置で目標充電量までのバッテリの充電に要する最適充電期間とに基づいて算出される。そして、バッテリの充電に関する案内が、現在位置で目標充電量までのバッテリの充電に要する第１充電期間と当該第２充電期間とに基づいて行われる。従って、当該車両用充電支援方法によれば、位置変更に伴う消費電力も考慮した状態で、現在位置での充電と、最適位置への移動を伴った充電を比較する材料がユーザに提供される。
【００２１】
請求項７記載のコンピュータプログラムによれば、第２充電期間が、最適位置への移動に要する位置変更期間と、当該最適位置で目標充電量までのバッテリの充電に要する最適充電期間とに基づいて算出される。そして、バッテリの充電に関する案内が、現在位置で目標充電量までのバッテリの充電に要する第１充電期間と当該第２充電期間とに基づいて行われる。従って、当該コンピュータプログラムによれば、位置変更に伴う消費電力も考慮した状態で、現在位置での充電と、最適位置への移動を伴った充電を比較する材料がユーザに提供される。
【図面の簡単な説明】
【００２２】
【図１】本実施形態に係るナビゲーション装置を示したブロック図である。
【図２】充電位置案内処理プログラムのフローチャートである。
【図３】現在位置でのバッテリ充電時の状況の一例を示す説明図である。
【図４】充電効率マップの一例を示す説明図である。
【図５】最適位置でのバッテリ充電時の状況を示す説明図である。
【図６】バッテリ残量と充電期間の関係を示す説明図（１）である。
【図７】バッテリ残量と充電期間の関係を示す説明図（２）である。
【図８】最適位置での充電を推奨する充電位置案内画面の一例を示す説明図である。
【図９】現在位置での充電を推奨する充電位置案内画面の一例を示す説明図である。
【発明を実施するための形態】
【００２３】
以下、本発明に係る車両用充電支援装置等を、ナビゲーション装置に具体化した一実施形態に基づき図面を参照しつつ詳細に説明する。先ず、本実施形態に係るナビゲーション装置１の概略構成について図１を用いて説明する。図１は、本実施形態に係るナビゲーション装置１を示すブロック図である。
【００２４】
図１に示すように本実施形態に係るナビゲーション装置１は、車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付ける操作部１４と、ユーザに対して地図や目的地までの案内経路を表示する液晶ディスプレイ１５と、経路案内に関する音声ガイダンスを出力するスピーカ１６と、プログラムを記憶した記憶媒体であるＤＶＤを読み取るＤＶＤドライブ１７と、交通情報センタ等の情報センタとの間で通信を行う通信モジュール１８と、から構成されている。又、ナビゲーション装置１は、自車両６０の駆動源であるモータ（図示せず）に電力を供給する為のバッテリ５５と、後述する給電ユニット６５との非接触給電により当該バッテリ５５を充電する為の受電ユニット５０と接続されている。
【００２５】
以下に、ナビゲーション装置１を構成する各構成要素について順に説明する。現在位置検出部１１は、ＧＰＳ２１、車速センサ２２、ステアリングセンサ２３、ジャイロセンサ２４、高度計（図示せず）等からなり、現在の車両の位置、方位、車両の走行速度等を検出する。ここで、特に車速センサ２２は、車両の移動距離や車速を検出する為のセンサであり、車両の車輪の回転に応じてパルスを発生させ、パルス信号をナビゲーションＥＣＵ１３に出力する。そして、ナビゲーションＥＣＵ１３は、発生するパルスを計数することにより車輪の回転速度や移動距離を算出する。尚、上記４種類のセンサをナビゲーション装置１が全て備える必要はなく、これらの内の一又は複数種類のセンサのみをナビゲーション装置１が備える構成としても良い。
【００２６】
データ記録部１２は、外部記憶装置及び記録媒体としてのハードディスク（図示せず）と、読み出すとともにハードディスクに所定のデータを書き込む為のドライバである記録ヘッド（図示せず）とを備えている。当該ハードディスクは、地図情報ＤＢ３１、車両旋回半径情報３２、受電ユニット位置情報３３及び充電効率マップ３４を記録している。
【００２７】
ここで、地図情報ＤＢ３１は、経路案内、交通情報案内及び地図表示に必要な各種地図データを記録している。地図データは、具体的には、道路（リンク）形状に関するリンクデータ、ノード点に関するノードデータ、施設等の地点に関する情報であるＰＯＩデータ、各交差点に関する交差点データ、経路を探索するための探索データ、地点を検索するための検索データ、地図、道路、交通情報等の画像を液晶ディスプレイ１５に描画するための画像描画データ等から構成されている。尚、地図情報ＤＢ３１は、地図配信センタ等から配信される更新データや記憶媒体（例えば、ＤＶＤやメモリーカード）を介して提供される更新データに基づいて更新される。
【００２８】
車両旋回半径情報３２は、車両の旋回半径の大きさを示す情報である。当該車両旋回半径情報３２は、後述する消費電力量Ｅｃや位置変更期間Ｔｃを算出する際に参照される。そして、受電ユニット位置情報３３は、当該自車両６０における受電ユニット５０の配設位置を示す情報である。当該受電ユニット位置情報３３は、後述する最適位置の特定及び充電効率の特定等を行う際に参照される。充電効率マップ３４は、受電ユニット５０と給電ユニット６５の間の距離（以下、オフセット量）と、バッテリ５５の充電効率の関係を示す（図４参照）。当該充電効率マップ３４は、後述する充電効率の特定を行う際に参照される。尚、充電効率マップ３４の詳細については後述する。
【００２９】
一方、ナビゲーションＥＣＵ（エレクトロニック・コントロール・ユニット）１３は、目的地が選択された場合に現在位置から目的地までの案内経路を設定する案内経路設定処理や、後述する充電位置案内処理（図２参照）等のナビゲーション装置１の全体の制御を行う電子制御ユニットである。そして、当該ナビゲーションＥＣＵ１３は、演算装置及び制御装置としてのＣＰＵ４１、並びにＣＰＵ４１が各種の演算処理を行うにあたってワーキングメモリとして使用されると共に、経路が探索されたときの経路データ等が記憶されるＲＡＭ４２、制御用のプログラムのほか、後述する充電位置案内処理プログラム（図２参照）等が記録されたＲＯＭ４３、ＲＯＭ４３から読み出したプログラムを記憶するフラッシュメモリ４４等の内部記憶装置を備えている。
【００３０】
操作部１４は、走行開始地点としての出発地及び走行終了地点としての目的地を入力する際等に操作され、各種のキー、ボタン等の複数の操作スイッチ（図示せず）から構成される。そして、ナビゲーションＥＣＵ１３は、各スイッチの押下等により出力されるスイッチ信号に基づき、対応する各種の動作を実行すべく制御を行う。尚、液晶ディスプレイ１５の前面に設けたタッチパネルによって構成することもできる。
【００３１】
液晶ディスプレイ１５には、道路を含む地図画像、交通情報、操作案内、操作メニュー、キーの案内、出発地から目的地までの案内経路、案内経路に沿った案内情報、ニュース、天気予報、時刻、メール、テレビ番組等が表示される。又、液晶ディスプレイ１５には、後述する充電位置案内画面８０（図８、図９参照）が、充電位置案内処理プログラム（図２参照）に基づいて表示される。
【００３２】
スピーカ１６は、ナビゲーションＥＣＵ１３からの指示に基づいて案内経路に沿った走行を案内する音声ガイダンスや、交通情報の案内音声を出力する。
【００３３】
ＤＶＤドライブ１７は、ＤＶＤやＣＤ等の記録媒体に記録されたデータを読み取り可能なドライブである。そして、読み取ったデータに基づいて地図情報ＤＢ３１の更新等が行われる。
【００３４】
通信モジュール１８は、交通情報センタ、例えば、ＶＩＣＳ（登録商標：Vehicle Information and Communication System）センタやプローブセンタ等から送信された渋滞情報、規制情報、交通事故情報等の各情報から成る交通情報を受信する為の通信装置であり、例えば携帯電話機やＤＣＭが該当する。当該通信モジュール１８は、駐車場の駐車枠７０内に埋設された給電ユニット６５（図３、図５参照）と通信することにより、当該給電ユニット６５の位置情報を取得する際に用いられる。
【００３５】
受電ユニット５０は、自車両６０底面の所定位置に配設されており、駐車枠７０内に埋設された給電ユニット６５（図３、図５参照）との間で非接触給電を行う。又、受電ユニット５０は、充電部（図示せず）を有しており、当該充電部を介して、給電ユニット６５から受電した電力をバッテリ５５に充電する。
【００３６】
バッテリ５５は、充電と放電とを繰り返すことができる二次電池であり、鉛蓄電池、ニッケルカドミニウム電池、ニッケル水素電池、リチウムイオン電池、ナトリウム硫黄電池等が用いられる。当該バッテリ５５は、自車両６０の駆動源であるモータ（図示せず）に電力を供給する。又、当該バッテリ５５は、受電ユニット５０及び給電ユニット６５間の非接触給電により供給された電力を蓄える。図２に示すように、バッテリ５５は、ナビゲーションＥＣＵ１３と接続されている。従って、ナビゲーションＥＣＵ１３は、当該バッテリ５５に蓄電されている電力量（例えば、後述するバッテリ残量Ｅｐ）を取得し得る。
【００３７】
次に、ナビゲーション装置１において実行される充電位置案内処理プログラムについて、図２を参照しつつ詳細に説明する。当該充電位置案内処理プログラムは、給電ユニット６５が埋設された駐車枠７０に自車両６０が駐車した後に、現在の自車両６０の駐車位置（以下、現在位置）と、当該現在位置よりもバッテリ５５の充電効率の良い最適位置を、位置変更を考慮した上で比較し、バッテリ５５の充電に関する案内を行う為のプログラムである。図２は、本実施形態に係る充電位置案内処理プログラムのフローチャートである。
【００３８】
当該充電位置案内処理プログラムは、図３に示すように、路面上に駐車枠７０が描かれ、当該駐車枠７０内の地面に給電ユニット６５が埋設された駐車場に、自車両６０が進入し、後退駐車により所望の駐車枠７０への駐車を完了した時点で、ＣＰＵ４１により実行される。駐車の完了は、例えば、シフトレバーがパーキング位置にあること、サイドブレーキが使用されていること等に基づいて判断し得る。
【００３９】
ここで、給電ユニット６５は、上述したように、受電ユニット５０との間で非接触給電を行う。ここで、非接触給電の具体的な方法としては、二つのコイル間に発生する相互誘導を利用した方法が挙げられる。この方法の場合、給電ユニット６５側の一次コイルに高周波電流を印加することで磁界変化を発生させ、受電ユニット５０側の二次コイルに誘導電流を発生させる。これにより、給電ユニット６５から受電ユニット５０への非接触給電が実現される。
【００４０】
又、給電ユニット６５は、通信モジュール（図示せず）を有しており、通信モジュール１８を介して、ナビゲーション装置１に対して、給電ユニット位置情報を送信し得る。給電ユニット位置情報は、当該給電ユニット６５の埋設位置のＸ座標、Ｙ座標を示す座標情報であり、給電ユニット６５に配設された記憶装置に格納されている。尚、給電ユニット６５にＧＰＳ等の現在位置検出部を搭載した場合には、当該現在位置検出部を用いて、給電ユニット位置情報を生成することも可能である。
【００４１】
図２に示すように、充電位置案内処理プログラムでは、先ずＳ１で、ＣＰＵ４１は、現在位置検出部１１により、現在位置情報を取得する。当該現在位置情報は、現在位置検出部１１の検出結果に基づいて生成され、自車両６０の現在位置のＸ座標、Ｙ座標を示す座標情報である。現在位置情報を取得した後、ＣＰＵ４１は、Ｓ２に処理を移行する。
【００４２】
Ｓ２においては、ＣＰＵ４１は、現在位置で給電ユニット６５からの非接触給電による受電が可能であるか否かを判断する。受電可能である場合（Ｓ２：ＹＥＳ）、ＣＰＵ４１は、Ｓ３に処理を移行する。一方、受電不能である場合（Ｓ２：ＮＯ）、ＣＰＵ４１は、充電位置案内処理プログラムを終了する。尚、受電不能である場合には、現在位置におけるバッテリ５５の充電効率が「０％」である場合や、給電ユニット６５が非稼働である場合を含む。
【００４３】
Ｓ３に移行すると、ＣＰＵ４１は、現在位置におけるバッテリ５５の充電効率を特定する。具体的には、先ず、ＣＰＵ４１は、通信モジュール１８を介して、駐車枠７０内に埋設されている給電ユニット６５と通信を行うことで、当該給電ユニット６５の給電ユニット位置情報を取得する。そして、ＣＰＵ４１は、Ｓ１で取得した現在位置情報と、受電ユニット位置情報３３に基づいて、現在位置の自車両６０における受電ユニット５０の位置を特定する。続いて、ＣＰＵ４１は、当該受電ユニット５０の位置と、給電ユニット位置情報に基づいて、オフセット量を算出する。オフセット量は、給電ユニット６５から受電ユニット５０までの水平距離を意味する。その後、ＣＰＵ４１は、算出したオフセット量と、充電効率マップ３４に基づいて、現在位置におけるバッテリ５５の充電効率を特定する。現在位置におけるバッテリ５５の充電効率を特定した後、ＣＰＵ４１は、Ｓ４に処理を移行する。
【００４４】
ここで、図４に示すように、充電効率マップ３４は、オフセット量と、バッテリ５５の充電効率の関係を規定している。本実施形態においては、受電ユニット５０側のコイルと給電ユニット６５側のコイルの間に発生する相互誘導により、バッテリ５５の充電を行う。従って、バッテリ５５の充電効率は、オフセット量が「０」の場合に最も高い値を示し、オフセット量の値が大きくなる程、小さな値を示す。従って、ＣＰＵ４１は、充電効率マップ３４（図４参照）に基づいて、算出したオフセット量に対応するバッテリ５５の充電効率を特定し得る。
【００４５】
Ｓ４では、ＣＰＵ４１は、バッテリ５５から、現時点におけるバッテリ５５の残量（以下、バッテリ残量Ｅｐ）を取得する。バッテリ残量Ｅｐを取得した後、ＣＰＵ４１は、Ｓ５に処理を移行する。
【００４６】
Ｓ５においては、ＣＰＵ４１は、目標充電量Ｅｔを取得する。目標充電量Ｅｔは、給電ユニット６５による非接触給電によるバッテリ５５の充電に関する目標値であり、本実施形態では、満充電状態（即ち、１００％）を意味する。尚、目標充電量Ｅｔは、満充電でなくても良く、ユーザが任意の値を目標充電量Ｅｔに設定する構成であっても良い。目標充電量Ｅｔを取得した後、ＣＰＵ４１は、Ｓ６に処理を移行する。
【００４７】
Ｓ６に移行すると、ＣＰＵ４１は、第１充電期間Ｔａを算出する。第１充電期間Ｔａは、現在位置において、現在のバッテリ残量Ｅｐから目標充電量Ｅｔまでバッテリ５５を充電するために必要な期間を意味する（図６、図７参照）。具体的には、ＣＰＵ４１は、Ｓ３で特定した充電効率（即ち、現在位置におけるバッテリ５５の充電効率）と、バッテリ残量Ｅｐと、目標充電量Ｅｔに基づいて、第１充電期間Ｔａを算出する。第１充電期間Ｔａを算出した後、ＣＰＵ４１は、Ｓ７に処理を移行する。
【００４８】
Ｓ７では、ＣＰＵ４１は、給電ユニット位置情報に基づいて、最適位置を特定する。ここで、最適位置とは、受電ユニット５０と給電ユニット６５の間の非接触給電によるバッテリ５５の充電効率が最も良い状態である駐車位置を意味する。
上述したように、本実施形態においては、給電ユニット６５側の一次コイルに高周波電流を印加することで磁界変化を発生させ、受電ユニット５０側の二次コイルに誘導電流を発生させることによって、バッテリ５５の充電を行う。従って、バッテリ５５の充電効率は、給電ユニット６５側の一次コイルの中心軸と、受電ユニット５０側の二次コイルの中心軸が相互に一致する場合に最も高くなる（図４参照）。つまり、ＣＰＵ４１は、給電ユニット位置情報及び受電ユニット位置情報３３に基づいて、給電ユニット位置情報が示す座標と受電ユニット５０の位置座標が一致する位置を、最適位置として特定する（図５参照）。最適位置を特定した後、ＣＰＵ４１は、Ｓ８に処理を移行する。
【００４９】
Ｓ８においては、ＣＰＵ４１は、消費電力量Ｅｃを算出する。消費電力量Ｅｃは、現在位置から最適位置へ移動する際に、モータ（図示せず）の駆動等により消費されるバッテリ５５の電力量を意味する。具体的には、ＣＰＵ４１は、現在位置情報と、受電ユニット位置情報３３と、給電ユニット位置情報に基づいて、現在位置と最適位置の相対的な位置関係を特定する。そして、ＣＰＵ４１は、現在位置と最適位置の相対的な位置関係と、車両旋回半径情報３２に基づいて、自車両６０が現在位置から最適位置へ至る際の軌跡（切り替えしを含む）を求める。その後、ＣＰＵ４１は、当該軌跡の長さと、所定の目標車速度に基づいて、消費電力量Ｅｃを算出する。消費電力量Ｅｃを算出した後、ＣＰＵ４１は、Ｓ９に処理を移行する。
【００５０】
Ｓ９に移行すると、ＣＰＵ４１は、位置変更期間Ｔｃを算出する。位置変更期間Ｔｃは、現在位置から最適位置への移動に要する時間を意味する。具体的には、ＣＰＵ４１は、自車両６０が現在位置から最適位置へ至る際の軌跡の長さと、所定の目標車速度に基づいて、位置変更期間Ｔｃを算出する。位置変更期間Ｔｃを算出した後、ＣＰＵ４１は、Ｓ１０に処理を移行する。
【００５１】
Ｓ１０では、ＣＰＵ４１は、最適充電期間Ｔｏを算出する。最適充電期間Ｔｏは、最適位置へ移動した後、当該最適位置において、目標充電量Ｅｔまでバッテリ５５を充電するために必要な期間を意味する（図６、図７参照）。具体的には、ＣＰＵ４１は、先ず、現在のバッテリ残量Ｅｐから消費電力量Ｅｃを減算し、最適位置への移動完了時のバッテリ残量（以下、移動完了時残量Ｅｆ）を算出する。そして、ＣＰＵ４１は、最適位置におけるバッテリ５５の充電効率と、移動完了時残量Ｅｆと、目標充電量Ｅｔに基づいて、最適充電期間Ｔｏを算出する。ここで、最適位置におけるバッテリ５５の充電効率は、給電ユニット６５の構成等により定まる最大充電効率（本実施形態においては、９０％）を意味し、充電効率マップ３４に基づいて特定される。最適充電期間Ｔｏを算出した後、ＣＰＵ４１は、Ｓ１１に処理を移行する。
【００５２】
Ｓ１１においては、ＣＰＵ４１は、位置変更期間Ｔｃと、最適充電期間Ｔｏを合算し、第２充電期間Ｔｂを算出する。即ち、第２充電期間Ｔｂは、現在位置から最適位置への移動し、当該最適位置でバッテリ５５を目標充電量Ｅｔまで充電するために必要な期間を示す（図６、図７）。第２充電期間Ｔｂを算出した後、ＣＰＵ４１は、Ｓ１２に処理を移行する。
【００５３】
Ｓ１２に移行すると、ＣＰＵ４１は、第１充電期間Ｔａから第２充電期間Ｔｂを減算した値が所定値よりも大きいか否かを判断する。当該所定値は、ユーザが任意に設定した値であり、フラッシュメモリ４４等の記憶装置に格納されている。第１充電期間Ｔａから第２充電期間Ｔｂを減算した値が所定値よりも大きい場合（Ｓ１２：ＹＥＳ）、ＣＰＵ４１は、Ｓ１３に処理を移行する。一方、第１充電期間Ｔａから第２充電期間Ｔｂを減算した値が所定値以下である場合（Ｓ１２：ＮＯ）、ＣＰＵ４１は、Ｓ１４に処理を移行する。
【００５４】
Ｓ１３では、ＣＰＵ４１は、現在位置から最適位置へ位置変更してバッテリ５５の充電を行うメリットがある旨を出力する。具体的には、ＣＰＵ４１は、充電位置案内画面８０を液晶ディスプレイ１５に表示することにより、現在位置から最適位置へ位置変更してバッテリ５５の充電を行うメリットがある旨を報知する。ここでいうメリットとは、より短期間で目標充電量Ｅｔまでの充電を行うことができることを意味する。充電位置案内画面８０（図８参照）を液晶ディスプレイ１５に表示した後、ＣＰＵ４１は、充電支援処理プログラムを終了する。
【００５５】
Ｓ１４においては、ＣＰＵ４１は、現在位置から最適位置へ位置変更してバッテリ５５の充電を行うメリットがない旨を出力する。即ち、ＣＰＵ４１は、現在位置でバッテリ５５の充電を行う方が、メリットがある旨を出力する。具体的には、ＣＰＵ４１は、充電位置案内画面８０を液晶ディスプレイ１５に表示することにより、現在位置から最適位置へ位置変更してバッテリ５５の充電を行うメリットがない旨を報知する。充電位置案内画面８０（図９参照）を液晶ディスプレイ１５に表示した後、ＣＰＵ４１は、充電支援処理プログラムを終了する。
【００５６】
続いて、現在位置での充電を継続する場合と、最適位置へ移動して当該最適位置で充電を行う場合とを、バッテリ５５の残量と、現在からの経過時間の関係の観点で比較する。図６、図７は、バッテリ５５の残量と経過時間の関係を示すグラフである。尚、図６、図７においては、現在位置でバッテリ５５の充電を行った場合のバッテリ５５の残量を「第１バッテリ残量Ｅａ」といい、現在位置から最適位置へ移動し、最適位置でバッテリ５５の充電を行った場合のバッテリ５５の残量を「第２バッテリ残量Ｅｂ」という。
【００５７】
上述したように、現在位置で充電を継続する場合、第１バッテリ残量Ｅａは、現在位置における充電効率（即ち、Ｓ３で特定された充電効率）に従って継続的に充電されるので、バッテリ残量Ｅｐから目標充電量Ｅｔへ向かって、現在位置での充電効率を傾きとする直線的に増加する（図６、図７参照）。そして、第１バッテリ残量Ｅａがバッテリ残量Ｅｐから目標充電量Ｅｔとなるまでの期間が、Ｓ６で算出される第１充電期間Ｔａとなる。
【００５８】
一方、第２バッテリ残量Ｅｂは、現在位置から最適位置へ移動する際に、モータの駆動等により、バッテリ残量Ｅｐから消費電力量Ｅｃ分消費され、位置変更期間Ｔｃの時点で移動完了時残量Ｅｆとなる。その後、最適位置でのバッテリ５５の充電が開始され、最適位置における充電効率に従って充電されるので、移動完了時残量Ｅｆから目標充電量Ｅｔへ向かって、最適位置での充電効率を傾きとする直線状に増加する（図６、図７参照）。即ち、移動完了時残量Ｅｆから目標充電量Ｅｔまでの充電に要する期間が最適充電期間Ｔｏとなる。そして、最適位置へ移動して当該最適位置で充電を行う場合に要する期間は、位置変更期間Ｔｃと最適充電期間Ｔｏを合わせた第２充電期間Ｔｂとなる。
【００５９】
ここで、図６に示すように、第１充電期間Ｔａよりも第２充電期間Ｔｂが短い場合、最適位置へ移動させた方が、より短い時間で目標充電量Ｅｔまで充電することができる。この場合、最適位置へ自車両６０を移動させたとしても、現在位置で充電を継続するよりも短期間で、目標充電量Ｅｔまでバッテリ５５を充電することができるので、現在位置から最適位置へ移動させるメリットがあるといえる。
【００６０】
一方、図７に示すように、第１充電期間Ｔａよりも第２充電期間Ｔｂが長い場合、最適位置へ移動させたことにより、現在位置で充電を継続するよりも、目標充電量Ｅｔまで充電する為に長い期間が必要となる。従って、現在位置で充電を継続した方が、最適位置へ移動させて、最適な状態（高い充電効率）で充電するよりも短期間で目標充電量Ｅｔまでバッテリ５５の充電を完了することができる。従って、最適位置へ移動させるメリットは、ほとんどないといえる。
【００６１】
尚、最適位置への移動することのメリットの有無は、ユーザの主観に影響される。この点、Ｓ１２において、第１充電期間Ｔａと第２充電期間Ｔｂの差を、ユーザが設定した所定値と比較して、当該メリットの有無を判定している。従って、Ｓ１２における判定結果は、ユーザの主観的要素が反映されたものとなる。
【００６２】
次に、Ｓ１３、Ｓ１４において、液晶ディスプレイ１５に表示される充電位置案内画面８０について、図８、図９を参照しつつ説明する。図８は、Ｓ１３における充電位置案内画面８０の一例を示し、図９は、Ｓ１４における充電位置案内画面８０の一例を示す説明図である。
【００６３】
図８、図９に示すように、充電位置案内画面８０は、第１充電効率表示部８１と、第２充電効率表示部８２と、充電期間グラフ８３とを有している。第１充電効率表示部８１は、Ｓ３で特定された充電効率に基づいて、現在位置におけるバッテリ５５の充電効率を表示する。第２充電効率表示部８２は、Ｓ７で特定された最適位置と充電効率マップ３４に基づいて、最適位置におけるバッテリ５５の充電効率を表示する。
【００６４】
充電期間グラフ８３は、第１充電効率表示部８１と、第２充電効率表示部８２の上方に形成され、第１充電期間Ｔａと、第２充電期間Ｔｂとをグラフ表示する。従って、ユーザは、第１充電期間Ｔａに係る棒グラフと、第２充電期間Ｔｂに係る棒グラフを視認することにより、目標充電量Ｅｔまでの充電に要する期間の観点で、現在位置で充電を継続した場合と、最適位置へ移動させて充電を行う場合の両者を比較することができ、最適位置への移動の要否を判断し得る。
【００６５】
具体的には、充電期間グラフ８３は、第１充電効率表示部８１の上方に位置する部分に、第１充電期間Ｔａを示すグラフを示す。これにより、ユーザは、第１充電効率表示部８１に表示された現在位置における充電効率と、充電期間グラフ８３における第１充電期間Ｔａを示すグラフを対応付けて把握できる。
【００６６】
そして、充電期間グラフ８３は、第２充電効率表示部８２の上方に位置する部分に、第２充電期間Ｔｂを示すグラフを示す。これにより、ユーザは、第２充電効率表示部８２に表示された最適位置における充電効率と、充電期間グラフ８３における第２充電期間Ｔｂを示すグラフを対応付けて把握できる。又、第２充電期間Ｔｂを示すグラフは、位置変更期間Ｔｃと、最適充電期間Ｔｏを区別して表示している。従って、ユーザは、現在位置から最適位置への変更が、第２充電期間Ｔｂに及ぼす影響の大きさを把握し得る。
【００６７】
更に、Ｓ１３で表示される充電位置案内画面８０（図８参照）は、Ｓ１４で表示される充電位置案内画面８０（図９参照）と異なる背景色で表示される。従って、ユーザは、充電位置案内画面８０の背景色の相違に基づいて、最適位置に位置変更して充電を行うメリットの有無を把握し得る。これにより、ユーザは、現在位置から最適位置への移動の要否を、より容易に判断し得る。
【００６８】
以上、説明したように、本実施形態に係るナビゲーション装置１、ナビゲーション装置１による車両用充電支援方法及びナビゲーション装置１で実行されるコンピュータプログラム（以下、ナビゲーション装置１等という）では、現在位置におけるバッテリ５５の充電効率が特定され（Ｓ３）、現在位置でバッテリ残量Ｅｐから目標充電量Ｅｔまでの充電するために必要な第１充電期間Ｔａが算出される（Ｓ６）。
【００６９】
そして、当該ナビゲーション装置１等では、現在位置よりも充電効率の良い最適位置が特定され（Ｓ７）、現在位置から最適位置への移動に要する消費電力量Ｅｃ及び位置変更期間Ｔｃが算出される（Ｓ８、Ｓ９）。更に、最適位置における移動完了時残量Ｅｆから目標充電量Ｅｔまでの充電に要する最適充電期間Ｔｏが算出される（Ｓ１０）。そして、最適位置へ移動し、最適位置で目標充電量Ｅｔまで充電する為に要する第２充電期間Ｔｂが、位置変更期間Ｔｃと、最適充電期間Ｔｏを合算して算出される（Ｓ１１）。当該ナビゲーション装置１等では、第１充電期間Ｔａと、第２充電期間Ｔｂとを比較し（Ｓ１２）、比較結果に基づいて、充電位置案内画面８０を液晶ディスプレイ１５に表示する（Ｓ１３、Ｓ１４）。
【００７０】
従って、当該ナビゲーション装置１等は、現在位置から最適位置への位置変更に伴う消費電力量Ｅｃや位置変更期間Ｔｃを考慮したうえで、現在位置での充電に要する期間（第１充電期間Ｔａ）と、最適位置への移動を伴った充電に要する期間（第２充電期間Ｔｂ）を比較する材料（充電位置案内画面８０）を提示し得る。これにより、ユーザは、現在位置から最適位置への移動の必要性を十分に吟味し、的確な判断を行い得る。
【００７１】
又、当該ナビゲーション装置１等は、充電位置案内画面８０における充電期間グラフ８３によって、バッテリ残量Ｅｐから目標充電量Ｅｔまでの充電に要する期間（即ち、第１充電期間Ｔａ、第２充電期間Ｔｂ）の長短を、ユーザに提示し得る。従って、ユーザは、目標充電量Ｅｔまでに要する期間の長短に基づいて、現在位置での充電と、最適位置への移動を伴った充電を比較し、最適位置への移動の要否を判断することができる。
【００７２】
更に、当該ナビゲーション装置１等は、充電位置案内画面８０の背景色を変更することにより、第１充電期間Ｔａと第２充電期間Ｔｂを比較した結果を報知する（図８、図９参照）。従って、当該ナビゲーション装置１等によれば、ユーザは、現在位置におけるバッテリの充電と、前記現在位置から位置変更を行い、前記最適位置でのバッテリの充電と、の何れか一方を、より容易に選択し得る。
【００７３】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、現在位置からの最適位置への移動するための軌跡を算出し、当該軌跡と所定の目標車速度に基づいて、消費電力量Ｅｃ及び位置変更期間Ｔｃを求めていたが、この態様に限定するものではない。例えば、最適位置に対する現在位置の前後左右のズレを取得し、当該ズレの大きさに基づくテーブルを用いて、消費電力量Ｅｃや位置変更期間Ｔｃを算出しても良い。
【００７４】
又、実際に現在位置から最適位置へ移動した場合の自車両６０の軌跡や車両速度等をフラッシュメモリ４４等に学習しておき、当該学習内容を、消費電力量Ｅｃ及び位置変更期間Ｔｃの算出を行う際に用いても良い。これにより、消費電力量Ｅｃ及び位置変更期間Ｔｃの算出結果に、ユーザの運転操作に係る癖等が反映されることとなるので、より現実に即した第２充電期間Ｔｂを算出することができ、もって、最適位置への移動の要否に関する判断精度を向上させ得る。
【００７５】
又、本実施形態においては、給電ユニット６５の位置を検出する際に、給電ユニット６５との通信により給電ユニット位置情報を取得していたが、この態様に限定するものではない。給電ユニット６５の位置を特定することができれば種々の方法を採用し得る。例えば、ナビゲーション装置１にカメラを接続しておき、給電ユニットをカメラで撮像した画像に対して画像認識処理を行うことで、自車両６０に対する給電ユニット６５の位置を特定するように構成しても良い。この場合、給電ユニット６５は、駐車場の地面等と区別可能な色や形状を有していることが好ましい。又、給電ユニット６５が駐車場の地面等に埋設されている場合、給電ユニット６５の位置を示す目印が駐車場の地面に描かれていることが望ましい。
【００７６】
又、本実施形態においては、図４に示す充電効率マップ３４と、オフセット量に基づいて、バッテリ５５の充電効率を特定していたが、この態様に限定されるものではない。ナビゲーション装置１に磁界センサを接続し、磁界強度に基づいて充電効率を特定しても良いし、オフセット量と充電効率の関係を示すテーブルを用いても良い。又、充電効率マップ３４に、高さの概念を加えた態様であっても良いし、更に、給電ユニット６５と受電ユニット５０の角度に応じて充電効率が変化する場合は、角度も考慮するように構成してもよい。
【００７７】
更に、本実施形態においては、充電状態の一例として、給電ユニット６５によるバッテリ５５の充電効率を用いていたが、この態様に限定されるものではない。即ち、現在位置でのバッテリ５５の充電と、最適位置でのバッテリ５５の充電の良否を判断可能な指標であれば、種々の指標を用いることができる。
【符号の説明】
【００７８】
１    ナビゲーション装置
１３  ナビゲーションＥＣＵ
４１  ＣＰＵ
４２  ＲＡＭ
４３  ＲＯＭ
【図１】
2011217461.tif 000003
【図２】
2011217461.tif 000004
【図３】
2011217461.tif 000005
【図４】
2011217461.tif 000006
【図５】
2011217461.tif 000007
【図６】
2011217461.tif 000008
【図７】
2011217461.tif 000009
【図８】
2011217461.tif 000010
【図９】
2011217461.tif 000011